(57)【要約】【課題】大型の電池アセンブリを収納してかつ防水性を確実化する時計を提供する。【解決手段】大型の電池アセンブリ、特にいくつかの電池もしくは蓄電池（４１、４２）を含む電子時計で、時計ケースの裏蓋（１４）の大きな底部開口を閉じる取り外し可能な蓋（２０）の直径は、蓋が、内部に向かって半径方向に向いたロック用部材（５６）を有するバヨネット嵌合デバイスを設けられるという事実によって制限を受ける。これらのロック用部材は、電池アセンブリのための１つまたは複数のハウジングを有する固定の支持体（２２）を捕捉する。それらは蓋の実質的に円筒の環状部分（５０）の上部に配置される。シール用ガスケット（５２）がこの環状部分の周囲に配置され、裏蓋の開口の周縁部の円筒状表面（１６）に対して半径方向に圧縮され、それが、たとえバヨネット嵌合が全部ねじ込まれなくても防水性を確実化する。変形例によると、この蓋がケースの裏蓋全体を形成することも可能である。【選択図】図３
2004205513.tif 000002
【特許請求の範囲】
【請求項１】
電子時計ムーブメント（３０）、および少なくとも１つの電池（４１、４２）かまたは少なくとも１つの蓄電池を含む電池アセンブリを含むケース（２）を有する時計であって、電池アセンブリを挿入および取り外しすることができ、かつバヨネット嵌合手段を設けられた取り外し可能な蓋（２０）によって前記ケースが防水方式に閉じられる円形の底部開口（１５）を有し、前記蓋が、電池アセンブリのための１つまたは複数のハウジングを覆ってかつケースの裏蓋の少なくとも一部を形成するプレート（４４）と、前記プレートに対して実質的に直角に延びて前記開口に嵌合する実質的に円筒の環状部分（５０）とを含み、前記環状部分が、バヨネット嵌合手段の一部を形成する少なくとも２つのロック用部材（５６）を備え、
前記ケース（２）に固定して取り付けられた支持体（２２、８３）が少なくとも部分的に前記開口（１５）に面して広がっており、前記ロック用部材（５６）が前記環状部分（５０）の内側に延びて前記支持体（２２、８３）の肩状部（７０、７１）を捕捉することを特徴とする時計。
【請求項２】
環状のシール用ガスケット（５２、８４）が蓋の前記環状部分（５０）の周囲に配置され、蓋がケースに固定されると前記開口（１５）の周縁部を形成する環状表面（１６、８５）に対して半径方向に押しつけられることを特徴とする請求項１に記載の時計。
【請求項３】
前記環状表面（１６、８５）が実質的に円筒であり、蓋が定位置にセットされるときにシール用ガスケットを半径方向に圧縮することを確実にするために前記開口（１５）が広がった入口（８１）を含むことを特徴とする請求項２に記載の時計。
【請求項４】
前記ロック用部材（５６）が、蓋の前記環状部分（５０）の上部に固定された金属のワッシャ（５４）の一部を形成することを特徴とする請求項１に記載の時計。
【請求項５】
電池アセンブリ（４１と４２）が平面形状で非円形状を有し、前記肩状部（７０、７１）が電池アセンブリと前記非円形状を取り囲む円（８０）の間に配置されることを特徴とする請求項１に記載の時計。
【請求項６】
電池アセンブリが少なくとも２つの電池もしくは蓄電池を含むことを特徴とする請求項５に記載の時計。
【請求項７】
前記固定の支持体（２２、８３）が電池アセンブリのための１つまたは複数のハウジング（２３、２４）を備えていることを特徴とする請求項１に記載の時計。
【請求項８】
前記支持体（２２、８３）が絶縁性材料で作製されることを特徴とする請求項７に記載の時計。
【請求項９】
電気−音響トランスデューサ（４８）が蓋の内面に配置され、前記支持体（２２）内に配置された少なくとも１つの導体を介して電力が供給されることを特徴とする請求項８に記載の時計。
【請求項１０】
蓋（２０）がケースの裏蓋全体を形成することを特徴とする請求項１に記載の時計。
【請求項１１】
使用者がいかなる特別な道具も使用せずに手動で蓋を操作できるために蓋（２０）の周縁部分（４５）上にグリップ用手段（４７、８８）が配置されることを特徴とする請求項１から１０のいずれかに記載の時計。
【発明の詳細な説明】
【技術分野】
【０００１】
本発明は、電子時計ムーブメントと少なくとも１つの電池もしくは少なくとも１つの蓄電池を含む電池アセンブリを含むケースを有する時計に関し、そのケースは、電池を出し入れでき、かつバヨネット嵌合手段で取り外しできる蓋によって防水方式で閉じられる円形の底部開口を有し、その蓋が、電池用のハウジングに蓋をしてかつケースの裏蓋の少なくとも一部を構成するプレートとケースに対して実質的に直角に延びてかつ開口に嵌合する実質的に環状の円筒部分とを含み、前記環状の部分が、バヨネット嵌合手段の一部を構成する少なくとも２つのロック用部材を備えている。
【背景技術】
【０００２】
電池アセンブリへアクセスするようにハッチを閉じる取り外し可能な蓋は、それ自体で時計ケースの裏蓋を構成するか、あるいはケースの中間部分にそれ自体固定されるかもしくは前記中間部分と単一部品にされた裏蓋に配置された開口部を閉じるかのいずれかが可能である。
【０００３】
「電池アセンブリ」という表現はここでは１つまたは複数の一回使用の電池、または１つまたは複数の再充電可能な蓄電池を含む電気的エネルギーの供給源を意味する。
【０００４】
本発明は、限定はしないが、特に電気エネルギーを消費する１つまたは複数の追加のデバイスを有する電子時計に適用される。それには例えば無線や光、音を用いた通信のためのデバイス、圧力や他のタイプのセンサを使用する計測デバイス、ナビゲーション・デバイス、電子カメラ、電子手帳などといったものが含まれる。多くの事例で、これらの追加的デバイスのエネルギー消費によって、いくつかの電池もしくは蓄電池、または大型化された電池アセンブリもしくは蓄電池を含めた極めて大きな電池アセンブリを時計の中に封入することが必要となる。その際、電池アセンブリへアクセスするためにケースの裏蓋に必要な開口部が極めて大きくなり、裏蓋の表面の大部分、もしくは全部に広がる可能性がある。この開口部を閉じる取り外し可能な蓋がバヨネット嵌合によって固定されるとき、そのシステムの要素群および付随するシール部材のスペースの必要性が問題を引き起こす可能性がある。
【０００５】
欧州特許出願番号２７２５１５号は、上述のプリアンブルに示したタイプであって、かつ電池アセンブリへアクセスするために裏に大きな蓋を有する腕時計を開示している。時計の厚さを薄くするために、ケースの裏蓋の円形の開口部は、時計のムーブメントと電池アセンブリによって形成されるアセンブリの周囲を囲む円の直径よりも実質的に大きな直径を有する。バヨネット嵌合手段はムーブメントの底面よりも上に位置するレベルでこの円の外側に配置される。蓋の円筒環状部分は、後者を補強するため、およびケースの中間部分の内側エッジに引っ掛けることができるように外側に向けられるバヨネット嵌合デバイスのロック用部材を保持するために使用される。開口部周囲の防水性は、中央部の底面の溝の中に配置されて蓋によって軸方向に圧縮されるＯリング接合によって従来の様式で達成される。
【特許文献１】欧州特許出願番号２７２５１５号
【発明の開示】
【発明が解決しようとする課題】
【０００６】
時計の電池アセンブリが平面的に比較的大きなサイズとしなければならないとき、蓋のロック用部材が開口部の周縁と電池アセンブリの周囲を囲む円の間を通るようにするために、この設計は極めて大きな開口部を必要とする欠点を有する。さらに、シール用ガスケットが開口部よりも大きな直径を有する必要があることが前提となると、蓋の外径はさらに増大する。したがって、電池アセンブリのサイズが大きいと時計ケースが非常に大きくなる。別の欠点は、もしも使用者が蓋を正しく回してそれを固定しなかった場合、シール用ガスケットの軸方向圧縮が不充分になり易く、防水性が保証されないことである。蓋はシール用ガスケットを極めて強く圧縮しなければならず、バヨネット嵌合のロック用部材への力を必要とする。
【課題を解決するための手段】
【０００７】
本発明は前述の欠点を大幅に回避するように配置された時計に関し、それによって、特に、例えばいくつかの電池もしくは蓄電池を含み、電池アセンブリが重くかさばるとき、電池アセンブリの周囲を囲む円に対して蓋のサイズを制限することが可能となる。
【０００８】
その結果、プリアンブルに示したタイプの時計が供給される。そこではケース内に固定して取り付けられた支持体の少なくとも一部が前記開口部の入口の反対側に延び、蓋のロック用部材が蓋の実質的に円筒の環状部分の内側に向かって延びて支持体の肩状部で捕捉される。結果として、蓋がケースに固定されると肩状部は環状部分の内側に入る。
【０００９】
この単純な発想は、特に電池アセンブリが円形ではないときに開口部の直径を大幅に節約と蓋の最小平面寸法につながるが、その理由はケース内部で、電池アセンブリの周囲を囲む限られた円弧の長さだけを覆うバヨネット嵌合システムのロック用部材によって占められるスペースを、電池アセンブリとその電池アセンブリの周囲を囲む円との間の空いている区域に配置することができることによる。その結果、円と開口部周縁の間の半径方向の最小隙間は、それが蓋の円筒環状部分の厚さおよびその環状部分の周囲に必要な小さな遊びによって決定されて、ロック用部材のサイズに影響されないという理由だけでも小さくなる。支持体は、絶縁性の材料で作製されてかつ電池用の１つまたは複数のハウジングが設けられた電池支持体であると好都合である。
【００１０】
さらに、蓋の環状部分の内側に向かうロック用部材を都合のよいことにシール用ガスケットが前記環状部分の周囲に配置でき、それによりシール用ガスケットは開口部の周縁を形成する環状の表面、特に実質的に円筒の表面に対して半径方向の圧力を受ける。開口部は、蓋が定位置にセットされると、シール用ガスケットを半径方向に圧縮することを確実にするために広がった入り口を有する。シール用ガスケットのこの配置は半径方向で極めてわずかの場所を占め、その結果、前述の先行技術に比して蓋の幅がかなり小さくすることができる。シール用ガスケットを半径方向に圧縮するので、たとえ蓋が定位置にセットされるときに正しく回し込まれなかったとしても防水性は保証され、さらにシール用ガスケットの圧縮が実際にロック用部材に追加的な力を加えることはない。
【００１１】
どのような特別の道具も使用せずに使用者が手動で蓋を取り扱うことができるように、グリップ手段が蓋の周縁に配置されることが好ましい。
【発明を実施するための最良の形態】
【００１２】
本発明のその他の特徴および利点は、添付の図面を参照しながら非限定的な例として与えられる以下の様々な実施形態の説明で明らかになるであろう。
【００１３】
図１は、電子時計ムーブメントによって駆動される時計針４と５によるアナログ時間ディスプレイ用の文字盤の上に配置されたガラス６で閉じられる非円形状のケース２を有する腕時計１を示す透視図である。文字盤はまた、デジタルまたは英数字のディスプレイ７のための開口部も含む。１つまたは複数の制御部材８がケース上に配置される。この腕時計は、ケース２の中間部分に固定され、知られているタイプの留め金を備えたリストバンド１０、１１で手首に取り付けることができる。
【００１４】
図２は時計ケース２の下部をさらに特定して示している。本例では、時計ケースは中間部分１３と裏蓋１４を含む単一ブロック構造で作製され、そこに円形の開口部１５が配置されて電池（この図には示していない）に対するアクセス・ハッチとして働く。開口部１５の周縁の壁は実質的に円筒の環状表面１６を有する。時計ケース２の裏蓋中間部分はリストバンド１０、１１に固定するための取付部材１７、１８を備えている。
【００１５】
ケース２の内側に固定して取り付けられた電池支持体２２を示すために図２では外されているが、普通、開口部１５は取り外し可能な円形の蓋２０によって防水方式に閉じられる。蓋が開口部１５の定位置にセットされると、蓋２０は、後に詳しく説明するバヨネット嵌合タイプのデバイスによって支持体２２に固定される。この例では、支持体２２は、時計の中に含まれる回路に電力を供給するための電池アセンブリを構成する２つの電池用の２つの円形ハウジング２３、２４を含む。この例では、ケースと蓋は金属であることが好ましいが、他の材料を考えることも可能である。
【００１６】
図３と６は時計の内部構造およびその主要部品をさらに詳細に示している。蓋２０の詳細は図４と５を参照しながら説明されるであろう。
【００１７】
図３は、シール用ガスケット２８と共に中間部分１３の上に装着された２つの部品２６、２７からなるベゼルによって時計のガラス６が取り付けられていることを示している。時計の文字盤２９の下には液晶ディスプレイ７、および、特定すると、水晶発振器３１や時計針４、５を駆動する電気モータ３２を含む電子時計ムーブメント３０が配置されている。これらの要素はプリント回路基板３３の上に装着されている。基板は、特定すると、文字盤２９を支えるプラスティック材料で作製されたプレート３４を含む従来の手段によってケース内に固定される。
【００１８】
基板３３の下には、プリント回路基板３７の上に装着された追加的な電子デバイス３６がある。この追加的なデバイスは前述のタイプのうちの１つでもよく、例えば１つまたは複数の集積回路３８やメモリ３９でもよい。支持体２２内に収納され、絶縁性合成材料製の支持体内に集積化された金属ストリップを使用して直列接続された２つの電池４１、４２によって構成される電池アセンブリによって、基板３３に装着された全部品と同様に、集積回路３８やメモリ３９も電気エネルギーを供給される。図面を単純化するために、電池４１、４２と、支持体２２、基板３７および基板３３の間の電気的接続は図示されていない。もちろん、別々の電源として、電池の一方が基板３３上に装着された部品に電力供給し、他方が基板３７上に装着された部品に供給するようにすることもできる。
【００１９】
取り外し可能な蓋２０は、ケースの裏蓋の開口部１５全体を覆ってかつ中央部分よりも厚い周縁部分４５を有する円形プレート４４を有する。この周縁部分は、蓋２０が閉じた位置にあるときにケースの裏蓋１４の平坦な底面４６に当てられるエッジを形成する。使用者が爪またはキーや時計リストバンドの金具のバックルといった一般的な対象物によって手動で蓋を回せるようにするために、２つの切り欠き４７が周縁部分４５の外面に配置されている。変形例によると、蓋の周縁部分上の手動のグリップ手段としてギザギザを設けてもよい。圧電要素で作製されていることが好ましい電気−音響トランスデューサ４８を蓋２０の内面、プレート４４の中央部分に接着し、それを振動させて、その時計を身につけている個人に音響および／または触覚の信号を送るようにしている。プレート４４の振動率を向上させるためにトランスデューサ４８の周囲に隆起が設けられる。
【００２０】
蓋２０は、この事例では弾性のＯリング接合によって形成された環状のシール用ガスケット５２を受けるための溝５１を外面に有する実質的に円筒の環状部分５０を周縁部分４５の上側に含む。摩擦を低減させるために、このシール用ガスケットは自己潤滑性材料で作製されている。溝５１はその上部が、蓋の環状部分５０の上部の点５３で溶接される平坦な金属ワッシャ５４によって閉ざされている。このワッシャの外径は環状部分５０の円筒外面５５とほぼ等しい。ワッシャ５４は半径方向内側に突き出た２つの部分を含み、それらが直径方向で向き合っており、蓋のバヨネット嵌合デバイスの２つのロック用部材５６を形成している。本事例では、２つのロック用部材５６は平坦でかつワッシャ５４の残り部分と同じ平面内に配置されるが、しかし他の実施形態では、必要に応じてそれらが傾けられ、あるいはＺ形状に曲げられることも可能である。さらに、もちろんロック用部材５６の数が２よりも多いこともあり得る。
【００２１】
図６は下から見た電池支持体２２を示している。それは剛性で絶縁性の合成材料から成型された部品であり、裏蓋１４に対して押し付けられることにより、脚６０と６１を介して時計ケースの内側の定位置に保持される。特に図３で、各々の脚６１がケースの裏蓋の盲穴６２内にはめ込まれているのを見ることができる。接触ストリップ６４の１つを押し付けて電池アセンブリと時計の電気回路の間の接続を保証する支持体の突出部分６３にこの脚が固定されていることもやはり見ることができる。このタイプの他のストリップは特定すると図６で参照番号６５〜６７が付けられた、支持体２２の適切な収納部中に収納される。収納部６７はトランスデューサ４８をその制御回路へと接続する１つまたは複数のストリップを含む。
【００２２】
支持体２２はまた、取り外し可能な蓋２０を定位置に保持するためにも使用され、この目的のためにバヨネット嵌合デバイスの複数の固定要素を有する。これらの要素は支持体２２の２つのエッジ７２、７３の上面に位置する２つの肩状部７０、７１を含む。平面内で肩状部７０、７１は長さの短い円弧の形状を有し、それらは蓋をケースの内側に向かって引っ張るために経線方向にわずかに傾けられるてもよい。これらの肩状部の上に、蓋２０のロック用部材５６が通るそれぞれの切り欠き７４、７５がある。
【００２３】
図６で、バヨネット嵌合デバイスの固定要素７２〜７５、および蓋２０がケースに挿入されるときにロック用部材５６が軸方向に通過するための空きスペース７６、７７のいずれも、電池収納部２３、２４に収容される電池アセンブリによって占有されない場所に配置されることを見ることができる。図２を参照すると、これらの要素が電池アセンブリの周囲を囲む円８０の内側に位置していることが、電池アセンブリを平面で見たときに観察されるであろう。実際上、電池アセンブリが円形を有することはなく、その結果、囲み円８０の内側に未使用の区域を残しているという事実の恩恵を得る。例えば、電池アセンブリを構成する単一の電池もしくは蓄電池が平面的に方形の形状を有したならば、同じ恩恵が達成されるであろう。
【００２４】
図３の断面が２つの電池ハウジング２３、２４の中央を通る面に対して傾いているので図３が電池アセンブリの最大幅を示していないことに留意すべきである。実際には、各々の電池は蓋の環状部分５０からわずかの距離まで延びる。
【００２５】
この恩恵は、蓋の円筒環状部分５０の厚さが通過するのに充分なだけ、開口部１５の直径が囲み円８０よりも少しだけ大きければよいことを意味する。さらに、蓋の外エッジが開口部１５の周縁から多く突き出る必要はないので、その結果、開口部をケースの裏蓋１４の寸法を考慮に入れて可能な限り大きくすることができ、その結果、大型の電池アセンブリへアクセスできるようになる。
【００２６】
このように配置されると、いかなる環境でも蓋２０はケースの裏蓋のための優れた防水性を確実にする。蓋が開口部１５内に軸方向に挿入される瞬間、開口の外に広がった入口８１が徐々に弾性のシール用ガスケット５２を圧縮し、その後、蓋が完全にケース内に押し込まれる前でもそれは蓋の環状部分５０と固定の円筒表面１６の間で持続的に半径方向に圧縮される。その後、肩状部７０、７１にロック用部材５６を係合させるために蓋が回される。その際、裏蓋の底面４６に対してエッジが押し付けられるまで蓋が引き付けられるであろうが、防水状態は変化せず、シール用ガスケット５２の圧縮はロック用部材５６あるいは支持体２２にいかなる力も誘発しない。明らかに、蓋を取り外す操作の間でも同じ事実である。
【００２７】
図７は時計の一実施形態を図式的に示しており、そこでは取り外し可能な蓋２０が時計ケースの裏蓋を全体的に形成し、その周縁部分４５が中間部分１３の底面８２を覆い、かつ蓋のバヨネット嵌合デバイスの効果を介して中間部分に対して押しつけられる。蓋の内側ロック用部材５６はケースの内側に装着されたいかなる固定の支持体８３も捕捉し、各々が先行する例のように支持体の肩状部７１とエッジ７３に押し付けられる。支持体８３は中間部分の肩状部８４に対して止められた状態を、例えば従来の平坦な複数のクランプ８５によって保たれ、それらの各々がネジ８６によって支持体の下側表面に固定されて中間部分１３の切り欠き８７に係合する。クランプ８５はバヨネット嵌合デバイスの捕捉用部材７１、７３とは異なる場所に配置されることが好ましい。支持体８３は必ずしも電池支持体である必要はないが、しかし、例えば時計のムーブメントまたはそのようなムーブメントを含む成型合成材料製の容器で形成される。それはまた、ケース２内でムーブメントを保持するケーシング・リングであってもよい。
【００２８】
図７の例では、裏蓋２０の要素５０、５２、５４は図２から６の例のそれらと類似しているが、明らかにそれらよりも大きな直径を有する。しかしながら、先行する例の切り欠き４７は周縁部分４５の下面のギザギザ８８で置き換えられ、いかなる道具も使用せずに使用者が蓋を開閉するのを可能にする手動のグリップ手段として働く。
【００２９】
最後に、これまでに説明した構造の原理が、金属の時計ケースおよび他の材料、特にセラミックまたは合成材料製のケースの両方に当てはまることに気付くであろう。
【図面の簡単な説明】
【００３０】
【図１】本発明の原理による腕時計の第１の実施形態を示す概略図である。
【図２】図１の時計ケースの底面透視図であって、底面の開口部を閉じる蓋が取り外されている。
【図３】図１の線ＩＩＩ−ＩＩＩに沿ってとった時計の断面を示す図である。
【図４】蓋の内面の平面図である。
【図５】図４の線Ｖ−Ｖに沿ってとった蓋の断面図である。
【図６】図３と４に見られる電池支持体の底面透視図である。
【図７】時計ケースの裏蓋の全部が取り外し可能である別の実施形態の部分的垂直方向断面図である。
【符号の説明】
【００３１】
１  腕時計、  ２  時計ケース  ４、５  時計針  ６、２９  文字盤  ７  英数字ディスプレイ  ８  制御部材  １０、１１  リストバンド  １３  中間部分  １４  裏蓋  １５  開口  １６、８５  円筒の環状表面  １７、１８  締め付け用部材  ２０  蓋  ２２、８３  支持体  ２３、２４  電池アセンブリのためのハウジング  ４５  周縁（部）  ４７、７４、７５、８７、８８  切り欠き（グリップ用手段）  ５０  蓋の円筒環状部分
【図１】
2004205513.tif 000003
【図２】
2004205513.tif 000004
【図３】
2004205513.tif 000005
【図４】
2004205513.tif 000006
【図５】
2004205513.tif 000007
【図６】
2004205513.tif 000008
【図７】
2004205513.tif 000009